(57)【要約】【課題】バケットと、このバケットとは異なる作動体との複合操作に際し、実施される作業に好適な速度でバケットを駆動できるようにする。【解決手段】本発明に係る油圧ショベルは、ブーム４と、アーム５と、バケット６とを有するフロント作業機３と、第１，第３油圧ポンプ１１，１３の圧油を合流させてバケットシリンダ８に供給可能な合流制御弁３１とを備えるとともに、バケット６とブーム４との複合操作時に、合流制御弁３１を開状態に維持しながら、ブーム用操作装置４０の操作に応じて合流制御弁３１の開口面積を変更可能な、比例電磁弁５１、操作量検出部４８、圧力センサ４５，４６，４７、及びコントローラ５０を含む合流制御弁制御装置を備えている。【選択図】図２
2014201885.tif 000002
【特許請求の範囲】
【請求項１】
走行体と、この走行体上に配置される旋回体と、この旋回体に上下方向の回動可能に取り付けられ、バケットを含むフロント作業機と、エンジンと、このエンジンによって駆動される複数の油圧ポンプと、上記バケットを駆動するバケットシリンダと、上記バケットとは異なる特定の作動体を駆動する特定アクチュエータと、上記油圧ポンプから上記バケットシリンダに供給される圧油の流れを制御するバケット用方向制御弁と、上記油圧ポンプから上記特定アクチュエータに供給される圧油の流れを制御する特定アクチュエータ用方向制御弁と、上記バケットシリンダを操作するバケット用操作装置と、上記特定アクチュエータを操作する特定アクチュエータ用操作装置と、上記複数の油圧ポンプの圧油を合流させて上記バケットシリンダに供給可能な合流制御弁とを備えた油圧ショベルにおいて、
上記バケットと、上記バケットとは異なる上記作動体との複合操作時に、上記合流制御弁を開状態に維持しながら、上記特定アクチュエータ用操作装置の操作に応じて合流制御弁の開口面積を変更可能な合流制御弁制御装置を備えたことを特徴とする油圧ショベル。
【請求項２】
請求項１に記載の油圧ショベルにおいて、
上記バケット用方向制御弁が第１バケット用方向制御弁と第２バケット用方向制御弁とから成り、
上記複数の油圧ポンプが、上記第１バケット用方向制御弁に連絡される油圧ポンプと、上記第２バケット用方向制御弁に連絡される油圧ポンプとを含む３つの油圧ポンプから成り、
上記合流制御弁を、上記第１バケット用方向制御弁の上流及び上記第２バケット用方向制御弁の上流のうちの少なくとも一方に設けたことを特徴とする油圧ショベル。
【請求項３】
請求項２に記載の油圧ショベルにおいて、
上記合流制御弁の開口面積を制御する比例電磁弁を備え、
上記合流制御弁制御装置は、
上記特定アクチュエータ用操作装置の操作量を検出する操作量検出部と、
上記複数の油圧ポンプの吐出圧力を検出する圧力センサと、
上記操作量検出部から出力される操作量信号及び上記圧力センサから出力される吐出圧信号に応じた上記合流制御弁の開口面積を演算し、この開口面積に相応する制御信号を上記比例電磁弁に出力するコントローラとを備えたことを特徴とする油圧ショベル。
【請求項４】
請求項３に記載の油圧ショベルにおいて、
上記コントローラは、
上記バケットの単独操作時の上記合流制御弁の開口面積を設定する単独操作関数設定部と、上記バケットと上記作動体との複合操作時の上記合流制御弁の開口面積を設定する複合操作関数設定部と、上記操作量検出部から出力される操作量信号に応じて、上記単独操作関数設定部と上記複合操作関数設定部のうちのいずれかを選択するスイッチ部とを含むことを特徴とする油圧ショベル。
【請求項５】
請求項４に記載の油圧ショベルにおいて、
上記単独操作関数設定部は、上記吐出圧信号の値の如何に拘わらず上記合流制御弁の開口面積を最大に保つ関数関係を有し、
上記複合操作関数設定部は、上記吐出圧信号の値が小さいときには上記合流制御弁の開口面積を小さくし、上記吐出圧信号の値が大きいときには上記合流制御弁の開口面積を大きくする関数関係を有することを特徴とする油圧ショベル。
【発明の詳細な説明】
【技術分野】
【０００１】
本発明は、フロント作業機に含まれるバケットを駆動するバケットシリンダに、複数の油圧ポンプの圧油を合流させて供給可能な合流制御弁を備えた油圧ショベルに関する。
【背景技術】
【０００２】
この種の従来技術として、特許文献１に示されるものがある。この従来技術は、油圧ショベル等の油圧作業機の油圧回路から成り、バケットを駆動するバケットシリンダと、バケットとは異なる作動体、例えばブーム、アームを駆動する特定アクチュエータと、バケットシリンダ及び特定アクチュエータに圧油を供給する複数の油圧ポンプとを備えている。また、この従来技術は、油圧ポンプからバケットシリンダに供給される圧油の流れを制御するバケット用方向制御弁と、油圧ポンプからブームシリンダ、アームシリンダに供給される圧油の流れを制御する特定アクチュエータ用方向制御弁と、複数の油圧ポンプの圧油を合流させてバケットシリンダに供給可能な合流切換弁、すなわち合流制御弁とを備えている。
【０００３】
なお、特許文献１には示されていないが、一般に油圧ショベルにあっては、走行体と、この走行体上に配置される旋回体と、この旋回体に上下方向の回動可能に取り付けられ、上述したバケットの他に、ブーム、アームを含み、掘削作業等を行うフロント作業機、バケットシリンダを操作するバケット用操作装置、及び特定アクチュエータ例えばブームシリンダ、アームシリンダ等をそれぞれ操作するブーム用操作装置、アーム用操作装置等が備えられている。
【０００４】
このような構成を有する従来技術は、バケット単独操作時には、バケット用操作装置の操作に応じて合流制御弁は開状態に切り換えられ、複数の油圧ポンプの圧油を合流制御弁を介して合流させてバケットシリンダに供給し、バケットシリンダを高速で作動させ、バケットシリンダの速い回動動作を実施させている。また、バケットと、ブームやアームとの複合操作時には、該当するブームシリンダ、アームシリンダを操作する特定アクチュエータ用操作装置の操作に応じて合流制御弁が閉状態に切り換えられ、バケットシリンダへは１つの油圧ポンプの圧油のみが供給されるようになっている。
【先行技術文献】
【特許文献】
【０００５】
【特許文献１】特開２０００−４５３４０号公報
【発明の概要】
【発明が解決しようとする課題】
【０００６】
油圧ショベルで実施される作業として、例えば土砂を掘削し、掘削した土砂をダンプトラックの荷台等に放土する動作を繰り返して行う掘削・放土作業などがある。このような掘削・放土作業を行うに際し、フロント作業機を下方に回動させてバケットを接地させるまでの間は、速い速度でブーム下げを行い、小さな負荷圧力で、また緩やかな作動速度でバケットを駆動することが行われる。バケットが接地し、このバケットで土砂を掘削する動作の間は、緩やかな速度でブームを駆動し、大きな負荷圧力で、また速い速度でバケットを駆動することが行われる。土砂の掘削を終え、掘削された土砂をダンプトラックの荷台等に放土する動作の間は、例えば旋回モータの速度を速くして旋回体を速く旋回させるとともに、速い速度でブーム上げを行い、小さな負荷圧力で、また緩やかな速度でバケットを駆動することが行われる。
【０００７】
ところで、上述した掘削・放土作業を行う場合、上述した従来技術は、ブーム用操作装置の操作に伴って合流制御弁が閉じられ、バケットシリンダに１つの油圧ポンプのみの圧油が供給されることから、例えばフロント作業機を下方向に回動させてバケットを接地するまでの間は、バケットを緩やかな速度で駆動すれば済むにも拘わらず、１つの油圧ポンプから吐出される圧油に依存する速度でバケットが駆動することになる。また、バケットが接地し、このバケットで土砂を掘削する動作の間は、バケットを速い速度で駆動させたいにも拘わらず、１つの油圧ポンプから吐出される圧油に依存する比較的遅い速度でバケットが駆動することになる。
【０００８】
すなわち、従来技術にあっては、バケットと、このバケットとは異なるブーム等の作動体の複合操作時において、バケットの速度が１つの油圧ポンプからの圧油に依存する速度となり、このためにバケットと、このバケットとは異なる作動体との複合操作性、及び作業性が低下する懸念がある。
【０００９】
本発明は、上述した従来技術における実情からなされたもので、その目的は、バケットと、このバケットとは異なる作動体との複合操作に際し、実施される作業に好適な速度でバケットを駆動することができる油圧ショベルを提供することにある。
【課題を解決するための手段】
【００１０】
この目的を達成するために、本発明は、走行体と、この走行体上に配置される旋回体と、この旋回体に上下方向の回動可能に取り付けられ、バケットを含むフロント作業機と、エンジンと、このエンジンによって駆動される複数の油圧ポンプと、上記バケットを駆動するバケットシリンダと、上記バケットとは異なる特定の作動体を駆動する特定アクチュエータと、上記油圧ポンプから上記バケットシリンダに供給される圧油の流れを制御するバケット用方向制御弁と、上記油圧ポンプから上記特定アクチュエータに供給される圧油の流れを制御する特定アクチュエータ用方向制御弁と、上記バケットシリンダを操作するバケット用操作装置と、上記特定アクチュエータを操作する特定アクチュエータ用操作装置と、上記複数の油圧ポンプの圧油を合流させて上記バケットシリンダに供給可能な合流制御弁とを備えた油圧ショベルにおいて、上記バケットと、上記バケットとは異なる上記作動体との複合操作時に、上記合流制御弁を開状態に維持しながら、上記特定アクチュエータ用操作装置の操作に応じて合流制御弁の開口面積を変更可能な合流制御弁制御装置を備えたことを特徴としている。
【００１１】
このように構成した本発明は、バケットと、このバケットとは異なる作動体との複合操作に際し、バケットを速い速度で駆動することが望ましい作業時には、合流制御弁制御装置によって合流制御弁の開口面積を、大きな開口面積とする制御を実行させ、複数の油圧ポンプの圧油を合流制御弁を介して合流させ、バケットシリンダに大きな流量を供給することが行われる。これにより、バケットを該当する作業に好適な速い速度で駆動することができる。
【００１２】
また、バケットを緩やかな速度で駆動することが望ましい作業時には、合流制御弁制御装置によって合流制御弁の開口面積を閉状態とはならない範囲内における小さな開口面積とする制御を実行させ、複数の油圧ポンプの圧油を合流制御弁を介して合流させる際に、バケットシリンダに小さな流量を供給することが行われる。これにより、バケットを該当する作業に好適な緩やかな速度で駆動できるとともに、複数の油圧ポンプの圧油をバケットとは異なる作動体の速い速度の駆動のために活用させることができる。
【００１３】
すなわち本発明は、バケットと、このバケットとは異なる作動体との複合操作に際し、実施される作業に好適な速度でバケットを駆動することができる。
【００１４】
また本発明は、上記発明において、上記バケット用方向制御弁が第１バケット用方向制御弁と第２バケット用方向制御弁とから成り、上記複数の油圧ポンプが、上記第１バケット用方向制御弁に連絡される油圧ポンプと、上記第２バケット用方向制御弁に連絡される油圧ポンプとを含む３つの油圧ポンプから成り、上記合流制御弁を、上記第１バケット用方向制御弁の上流及び上記第２バケット用方向制御弁の上流のうちの少なくとも一方に設けたことを特徴としている。
【００１５】
また本発明は、上記発明において、上記合流制御弁の開口面積を制御する比例電磁弁を備え、上記合流制御弁制御装置は、上記特定アクチュエータ用操作装置の操作量を検出する操作量検出部と、上記複数の油圧ポンプの吐出圧力を検出する圧力センサと、上記操作量検出部から出力される操作量信号及び上記圧力センサから出力される吐出圧信号に応じた上記合流制御弁の開口面積を演算し、この開口面積に相応する制御信号を上記比例電磁弁に出力するコントローラとを備えたことを特徴としている。
【００１６】
また本発明は、上記発明において、上記コントローラは、上記バケットの単独操作時の上記合流制御弁の開口面積を設定する単独操作関数設定部と、上記バケットと上記作動体との複合操作時の上記合流制御弁の開口面積を設定する複合操作関数設定部と、上記操作量検出部から出力される操作量信号に応じて、上記単独操作関数設定部と上記複合操作関数設定部のうちのいずれかを選択するスイッチ部とを含むことを特徴としている。
【００１７】
また本発明は、上記発明において、上記単独操作関数設定部は、上記吐出圧信号の値の如何に拘わらず上記合流制御弁の開口面積を最大に保つ関数関係を有し、上記複合操作関数設定部は、上記吐出圧信号の値が小さいときには上記合流制御弁の開口面積を小さくし、上記吐出圧信号の値が大きいときには上記合流制御弁の開口面積を大きくする関数関係を有することを特徴としている。
【発明の効果】
【００１８】
本発明は、バケットと、このバケットとは異なる作動体との複合操作時に、複数の油圧ポンプの圧油を合流させてバケットシリンダに供給する合流制御弁の開状態を維持しながら、特定アクチュエータ操作装置の操作に応じて合流制御弁の開口面積を変更可能な合流制御弁制御装置を備えた構成にしてあることから、バケットと、このバケットとは異なる作動体との複合操作に際し、合流制御弁制御装置によって、実施される作業に好適な速度でバケットを駆動することができる。これにより本発明は、バケットと、このバケットとは異なる作動体との複合操作に際し、従来に比べて操作性及び作業性を向上させることができる。
【図面の簡単な説明】
【００１９】
【図１】本発明に係る油圧ショベルの一実施形態を示す側面図である。
【図２】図１に示す油圧ショベルに備えられる電気・油圧回路を示す図である。
【図３】図２に示す電気・油圧回路に備えられるコントローラの要部構成を示す図である。
【発明を実施するための形態】
【００２０】
以下、本発明に係る油圧ショベルの実施の形態を図面に基づいて説明する。
【００２１】
図１は本発明に係る油圧ショベルの一実施形態を示す側面図である。
【００２２】
この図１に示すように、本実施形態に係る油圧ショベルは、走行体１と、この走行体１上に配置される旋回体２と、この旋回体２に取り付けられ、上下方向に回動可能で掘削作業等を行うフロント作業機３とを備えている。このフロント作業機３は、旋回体２に取り付けられるブーム４と、このブーム４の先端に取り付けられるアーム５と、このアーム５の先端に取り付けられるバケット６とを備えている。また、フロント作業機３は、ブーム４を駆動するブームシリンダ７と、アーム５を駆動するアームシリンダ８と、バケット６を駆動するバケットシリンダ９とを備えている。
【００２３】
図２は図１に示す油圧ショベルに備えられる電気・油圧回路を示す図、図３は図２に示す電気・油圧回路に備えられるコントローラの要部構成を示す図である。
【００２４】
この図２に示すように、本実施形態は、エンジン１０と、このエンジン１０によって駆動される複数の油圧ポンプ、例えば第１油圧ポンプ１１、第２油圧ポンプ１２、及び第３油圧ポンプ１３の３つの油圧ポンプとを備えている。
【００２５】
また本実施形態は、油圧ポンプから上述のバケットシリンダ９に供給される圧油の流れを制御するバケット用方向制御弁、例えば第１バケット用方向制御弁２１及び第２バケット用方向制御弁３１と、これらの第１，第２バケット用方向制御弁２１，３１を切り換え操作するバケット用操作装置４３とを備えている。
【００２６】
なお、本実施形態においては例えば、ブーム４は、バケット６とは異なる作動体を構成している。また、ブームシリンダ７は、作動体であるブーム４を駆動する特定アクチュエータを構成している。また、油圧ポンプからブームシリンダ７に供給される圧油の流れを制御する第１ブーム用方向制御弁２３、第２ブーム用方向制御弁２４、及び第３ブーム用方向制御弁２９のそれぞれは、特定アクチュエータであるブームシリンダ７を制御する特定アクチュエータ用方向制御弁を構成している。さらに、ブーム用操作装置４０は、特定アクチュエータ用方向制御弁である第１，第２，第３ブーム用方向制御弁２３，２４，２９をそれぞれ操作する特定アクチュエータ用操作装置を構成している。
【００２７】
また本実施形態は、複数の油圧ポンプ、例えば第１油圧ポンプ１１の圧油と第３油圧ポンプ１３の圧油とを合流させてバケットシリンダ９に供給可能な合流制御弁５２を備えている。
【００２８】
本実施形態は、バケット６と、このバケット６とは異なる作動体であるブーム４との複合操作時に、合流制御弁５２を開状態に維持しながら、特定アクチュエータ用操作装置であるブーム用操作装置４０の操作に応じて合流制御弁５２の開口面積を変更可能な合流制御弁制御装置を備えている。
【００２９】
上述した合流制御弁５２は、第１バケット用方向制御弁２１の上流、及び第２バケット用方向制御弁３１の上流のうちの少なくとも一方、例えば第２バケット用方向制御弁３１の上流に設けてある。
【００３０】
また本実施形態は、合流制御弁５２の開口面積を制御する比例電磁弁５１を備え、上述した合流制御弁制御装置は、ブーム用操作装置４０の操作量を検出する操作量検出部４８と、第１油圧ポンプ１１の吐出圧力を検出する圧力センサ４５、第２油圧ポンプ１２の吐出圧力を検出する圧力センサ４６、及び第３油圧ポンプ１３の吐出圧力を検出する圧力センサ４７とを備えている。
【００３１】
また、上述した合流制御弁制御装置は、操作量検出部４８から出力される操作量信号、及び圧力センサ４５，４６，４７から出力される吐出圧信号に応じた合流制御弁５２の開口面積を演算し、この開口面積に相応する制御信号を比例電磁弁５１に出力するコントローラ５０を備えている。
【００３２】
コントローラ５０は、図３に示すように、バケット６の単独操作時の合流制御弁５２の開口面積を設定する単独操作関数設定部５０ａと、バケット６とブーム４との複合操作時の合流制御弁５２の開口面積を設定する複合操作関数設定部５０ｂと、操作量検出部４８から出力される操作量信号に応じて、単独操作関数設定部５０ａと複合操作関数設定部５０ｂのうちのいずれかを選択するスイッチ部５０ｃとを含んでいる。
【００３３】
上述した単独操作関数設定部５０ａは、吐出圧信号の値の如何に拘わらず、合流制御弁５２の開口面積を最大に保つ関数関係を有している。複合操作関数設定部５０ｂは、吐出圧信号の値が小さいときには合流制御弁５２の開口面積を小さくし、吐出圧信号の値が大きいときには合流制御弁５２の開口面積を大きくする関数関係を有している。
【００３４】
単独操作関数設定部５０ａにおける関数関係の横軸で示す吐出圧力、及び複合操作関数設定部５０ｂにおける関数関係の横軸で示す吐出圧力は、例えば圧力センサ４５，４６，４７のそれぞれで検出される圧力の平均値に対応するものである。
【００３５】
なお図２に示すように、第１油圧ポンプ１１には、走行体１を駆動する右走行モータ１４を制御する右走行用方向制御弁２０と、上述の第１バケット用方向制御弁２１と、第２アーム用方向制御弁２２と、上述の第１ブーム用方向制御弁２３とがパラレルに接続されている。
【００３６】
第２油圧ポンプ１２には、上述の第２ブーム用方向制御弁２４と、第１アーム用方向制御弁２５と、予備用方向制御弁２６と、走行体１を駆動する左走行モータ１５を制御する左走行用方向制御弁２７とがパラレルに接続されている。
【００３７】
第３油圧ポンプ１３には、旋回体２を旋回させる旋回モータ１６を制御する旋回用方向制御弁２８と、上述の第３ブーム用方向制御弁２９と、上述の第２バケット用方向制御弁３１とがパラレルに接続され、第３アーム用方向制御弁３０が、旋回用方向制御弁２８にタンデムに接続されている。
【００３８】
上述した第１アーム用方向制御弁２５、第２アーム用方向制御弁２２、及び第３アーム用方向制御弁３０は、アーム用操作装置４１によって切り換え操作される。また、上述した旋回用方向制御弁２８は旋回用操作装置４２によって切り換え操作される。
【００３９】
このように構成した本実施形態は、例えばバケット６の単独操作が行われる場合には、バケット用操作装置４３の操作に応じて第１バケット用方向制御弁２１及び第２バケット用方向制御弁３１が切り換えられる。
【００４０】
このとき、操作量検出部４８でブーム用操作装置４０、アーム用操作装置４１、及び旋回用操作装置４２の操作は検出されず、コントローラ５０のスイッチング部５０ｃは、圧力センサ４５，４６，４７で検出される油圧ポンプ１１，１２，１３の吐出圧力の平均値を求める図示しない演算部を、図３に示す単独操作関数設定部５０ａに接続する処理を行う。この場合、単独操作関数設定部５０ａの設定関係により、演算部で演算される吐出圧力（平均値）の如何に拘わらず、単独操作関数設定部５０ａから合流制御弁５２の開口面積を最大とする制御信号が比例電磁弁５１に出力される。これにより比例電磁弁５１が作動し、比例電磁弁５１から出力される大きな値のパイロット圧信号に応じて合流制御弁５２は開口面積が最大となるように制御される。
【００４１】
したがって、第１油圧ポンプ１１の圧油が第１バケット用方向制御弁２１を介してバケットシリンダ９に供給されるとともに、第３油圧ポンプ１３の圧油が大きな開口面積の合流制御弁５２、第２バケット用方向制御弁３１を介して合流してバケットシリンダ９に供給される。これによりバケットシリンダ９は速い速度で作動し、バケット６を速く回動動作させることができる。
【００４２】
また、バケット６と、バケット６とは異なる作動体例えばブーム４との複合操作により、土砂を掘削し、掘削した土砂をダンプトラック等に放土する掘削・放土作業が行われる場合には、バケット用操作装置４３が操作されて第１，第２バケット用方向制御弁２１，３１が切り換えられるとともに、ブーム用操作装置４０が操作され、第１，第２，第３ブーム用方向制御弁２３，２４，２９が切り換えられる。
【００４３】
このとき、操作量検出部４８でブーム用操作装置４０が操作されたことが検出され、スイッチング部５０ｃは、圧力センサ４５，４６，４７で検出される油圧ポンプ１１，１２，１３の吐出圧力の平均値を求める図示しない演算部を、図３に示す複合操作関数設定部５０ｂに接続する処理を行う。
【００４４】
今例えば、バケット６が空中に保持されている状態にあり、この状態から土砂の掘削・放土作業を行うものとする。
【００４５】
ブーム用操作装置４０の操作により、上述のように切り換えられた第１，第２，第３ブーム用方向制御弁２３，２４，２９を介して、第１油圧ポンプ１１の圧油及び第３油圧ポンプ１３の圧油がブームシリンダ７に供給され、ブームシリンダ７は速い速度で作動し、ブーム下げが速く行われる。
【００４６】
また、このときバケット６が空中に保持されることから、負荷圧力は低く、これに応じて圧力センサ４５，４６，４７で検出される吐出圧力は低く、コントローラ５０の複合操作関数設定部５０ｂの設定関係に応じて、この複合操作関数設定部５０ｂから合流制御弁５２の開口面積を小さくする制御信号が比例電磁弁５１に出力される。これにより比例電磁弁５１が作動し、比例電磁弁５１から出力される小さな値のパイロット圧信号に応じて合流制御弁５２は、開口面積が小さくなるように制御される。
【００４７】
したがって、バケット用操作装置４３の操作により、上述のように切り換えられた第１バケット用方向制御弁２１を介して第１油圧ポンプ１１の圧油の一部がバケットシリンダ９に供給されるとともに、第３油圧ポンプ１３から比較的小流量の圧油が合流制御弁５２、第２バケット用方向制御弁３１を介して合流してバケットシリンダ９に供給される。これにより、バケットシリンダ９の速度は遅くなり、バケット６は緩やかな速度で回動する。
【００４８】
バケット６が接地し、掘削作業が行われると、負荷圧力が高くなり、これに応じて圧力センサ４５，４６，４７で検出される吐出圧力が高くなり、コントローラ５０の複合操作関数設定部５０ｂの関数関係に応じて、この複合操作関数設定部５０ｂから合流制御弁５２の開口面積を大きくする制御信号が比例電磁弁５１に出力される。これにより比例電磁弁５１が作動し、比例電磁弁５１から出力される大きな値のパイロット圧信号に応じて合流制御弁５２は開口面積が大きくなるように制御される。
【００４９】
したがって、第３油圧ポンプ３から比較的大きな流量の圧油が合流制御弁５２、第２バケット用方向制御弁３１を介して、第１バケット用方向制御弁２１から供給される第１油圧ポンプ１１の圧油に合流してバケットシリンダ９に供給される。これによりバケットシリンダ９の速度は速くなり、バケット６は速い速度で回動する。また、このとき第１，第２油圧ポンプ１１，１３の圧油のうちのかなりの量がバケット６の駆動のために活用されることから、ブームシリンダ７に供給される圧油の量が上述のブーム下げ時に比べて減り、これによりブーム４は緩やかな速度で下げ動作を行う。
【００５０】
バケット６による掘削を終え、ダンプトラック等への放土のためにブーム用操作装置１１をブーム上げに操作すると、負荷圧力が低くなり、これに応じて圧力センサ４５，４６，４７で検出される吐出圧力が低くなり、コントローラ５０の複合操作関数設定部５０ｂの関数関係に基づいて、この複合操作関数設定部５０ｂから合流制御弁５２の開口面積を小さくする制御信号が比例電磁弁５１に出力される。これにより比例電磁弁５１が作動し、比例電磁弁５１から出力される小さな値のパイロット圧信号に応じて合流制御弁５２は開口面積が小さくなるように制御される。
【００５１】
したがって、第３油圧ポンプ１３から比較的小さな流量の圧油が合流制御弁５２、第２バケット用方向制御弁３１を介して、第１バケット用方向制御弁２１から供給される第１油圧ポンプ１１の圧油の一部に合流してバケットシリンダ９に供給される。これにより、バケットシリンダ９の速度は上述の掘削作業時に比べて遅くなり、バケット６は緩やかに回動する。また、このとき第１，第３油圧ポンプ１１，１３の圧油のうちのかなりの量がブームシリンダ７に供給され、ブーム４は速い速度で上げ動作を行う。
【００５２】
上述のように本実施形態によれば、バケット６と、ブーム４との複合操作による掘削・放土作業に際して、フロント作業機３を下方向に回動させてバケット６が接地するまでの間は、ブーム４の下げ動作を速く行わせ、また、バケット６の回動を緩やかに行わせ、掘削時にはバケット６の回動を速く行わせ、掘削を終えてダンプトラック等に放土させる際には、ブーム４の上げ動作を速く行わせ、また、バケット６の回動を緩やかに行わせることができる。
【００５３】
すなわち本実施形態は、バケット６と、ブーム４の複合操作時に、第１，第３油圧ポンプ１１，１３の圧油を合流させてバケットシリンダ９に供給する合流制御弁５２の開状態を維持しながら、合流制御弁５２の開口面積を負荷圧力に応じて変更可能にコントローラ５０等を介して制御することから、バケット６と、ブーム４の複合操作に際し、実施される掘削・放土作業等の所望の作業に好適な速度でバケット６を駆動することができる。これにより本実施形態は、バケット６と、ブーム４との複合操作に際し、操作性及び作業性を向上させることができる。
【００５４】
なお、上記実施形態では、バケット６とは異なる所定の作動体としてブーム４を挙げたが、この作動体はアーム５であってもよく、また旋回体２であってもよい。これに対応して、特定アクチュエータがアームシリンダ８、旋回モータ１６であってもよく、特定アクチュエータ用方向制御弁がアーム用方向制御弁２２，２５，３０、旋回用方向制御弁２８であってもよく、また、特定アクチュエータ用操作装置が、アーム用操作装置４１、旋回用操作装置４２であってもよい。
【００５５】
また、上記では３つの油圧ポンプ１１，１２，１３を設けた構成にしてあるが、２つ、あるいは４つ以上の油圧ポンプを設けた構成にしてもよい。
【符号の説明】
【００５６】
１    走行体
２    旋回体
３    フロント作業機
４    ブーム（特定の作動体）
６    バケット
７    ブームシリンダ（特定アクチュエータ）
９    バケットシリンダ
１０    エンジン
１１    第１油圧ポンプ
１２    第２油圧ポンプ
１３    第３油圧ポンプ
２１    第１バケット用方向制御弁
２３    第１ブーム用方向制御弁（特定アクチュエータ用方向制御弁）
２４    第２ブーム用方向制御弁（特定アクチュエータ用方向制御弁）
２９    第３ブーム用方向制御弁（特定アクチュエータ用方向制御弁）
３１    第２バケット用方向制御弁
４０    ブーム用操作装置（特定アクチュエータ用操作装置）
４３    バケット用操作装置
４５    圧力センサ
４６    圧力センサ
４７    圧力センサ
４８    操作量検出部
５０    コントローラ
５０ａ  単独操作関数設定部
５０ｂ  複合操作関数設定部
５０ｃ  スイッチング部
５１    比例電磁弁
５２    合流制御弁
【図１】
2014201885.tif 000003
【図２】
2014201885.tif 000004
【図３】
2014201885.tif 000005